(57)【要約】【課題】空気調和機等の本体内に容易に組付けことができる紫外線照射装置を提供する。【解決手段】紫外線照射装置７を、点灯装置８と、同点灯装置８の前面に突出するように一体に設けられたＵ字状の放電管９とから構成し、前記点灯装置８を、一側面が開放された方形状の収納ケース１０と、同収納ケース１０内に配設され前記放電管９の電極に高圧を印加する制御基板１２と、耐水性、耐湿性及び耐熱性を備え前記制御基板１２の周囲を包むように前記収納ケース１０内に充填される充填剤１１とで構成する。また、前記収納ケース１０の前面に前記放電管９から放射された紫外線の前記点灯装置８への影響を防止する遮蔽金具１３を被着する。【選択図】　図３
2004084968.tif 000002
【特許請求の範囲】
【請求項１】
一側面が開放された方形状の収納ケースと、同収納ケース内に配設され、高圧を発生させる電子部品を搭載した制御基板と、同制御基板の周囲を包むように前記収納ケース内に充填された充填剤とからなる点灯装置と、同点灯装置の前面に突出するようにして設けられ、前記制御基板とリード線により接続され、紫外線を放射するＵ字状の放電管とからなることを特徴とする紫外線照射装置。
【請求項２】
前記収納ケースの前面に、前記放電管が挿通する挿通孔を備え、同放電管から放射された紫外線を遮蔽する遮蔽金具を被着してなることを特徴とする請求項１に記載の紫外線照射装置。
【請求項３】
前記放電管が、殺菌作用を有する波長が２５４ｎｍ（ナノメートル）の紫外線と、脱臭作用を行うオゾンを生成する波長が１８５ｎｍの紫外線とを放射できることを特徴とする請求項１に記載の紫外線照射装置。
【請求項４】
前記放電管の電極から導出されたピン端子と、前記制御基板から導出されたリード線とが筒状のカシメ端子に圧着され接続されてなることを特徴とする請求項１に記載の紫外線照射装置。
【請求項５】
前記充填剤が、耐水性、耐湿性及び耐熱性を備えたウレタン系樹脂材からなることを特徴とする請求項１に記載に紫外線照射装置。
【発明の詳細な説明】
【０００１】
【発明の属する技術分野】
本発明は、空気調和機あるいは空気清浄機等に使用される紫外線照射装置に関わり、詳細には、空気調和機等の本体内に容易に組付けられるようにした構成に関する。
【０００２】
【従来の技術】
空気調和機あるいは空気清浄機等で使用される従来の紫外線照射装置を、図７で示す空気調和機を例にして説明する。同図で示す空気調和機は、本体の前面に前面吸込口３０を、上面に上面吸込口３１を、前面下部に吹出口３２を夫々設け、前記前面吸込口３０及び前記上面吸込口３１と前記吹出口３２とを結ぶ空気通路に、吸込まれた空気と熱交換を行う熱交換器３３と、熱交換された空気を室内に送出する送風ファン３４とを備えている。前記熱交換器３３は垂直部３３ａと同垂直部３３ａの上端を折曲して後方に傾斜させた後方傾斜部３３ｂと、同後方傾斜部３３ｂの上端を折曲して前方に傾斜させた前方傾斜部３３ｃとからなり、前記後方傾斜部３３ｂの上端と前記前方傾斜部３３ｃの上端との間には、吸込まれた空気に対し紫外線を照射して、含有される細菌あるいは雑菌の殺菌処理を行う紫外線照射装置３５が設けられている。
【０００３】
前記紫外線照射装置３５は、紫外線を発光照射する放電管３５ａと、同放電管３５ａの両端部を支承する一方、前記後方傾斜部３３ｂの上端両側から懸架した取付具３５ｂと、図示はされていないが、前記本体の一側に電装品箱内に設置され、前記放電管と配線により接続された点灯装置とからなり、同点灯装置から配線を介して前記放電管３５ａに高電圧が印加されると、放電管３５ａ内に封入された水銀蒸気が反応して紫外線が周囲に照射されるようになっている。
【０００４】
しかしながら、放電管３５ａと点灯装置とに分離して設けられた前記紫外線照射装置３５は、空気調和機の本体内に夫々別箇に組付ける必要があり、組立性が劣るという問題点を有しており、また設置できる空間に制限が生じるという問題があった。これに対応するため電装品箱に設けられていた前記点灯装置を、前記放電管３５ａと一体あるいはその近傍に設けると、同点灯装置内に配設され電子部品等を搭載した制御基板に、湿気あるいは周囲の振動等が影響して支障を発生させる懸念があった。
【０００５】
【発明が解決しようとする課題】
本発明は上記問題点に鑑み、点灯装置が湿度あるいは振動の影響を受けないようにして放電管と点灯装置とをユニット化し、空気調和機等の本体内に容易に組付けできるようにした紫外線照射装置を提供することを目的とする。
【０００６】
【課題を解決するための手段】
本発明は上記課題を解決するため、一側面が開放された方形状の収納ケースと、同収納ケース内に配設され、高圧を発生させる電子部品を搭載した制御基板と、同制御基板の周囲を包むように前記収納ケース内に充填された充填剤とからなる点灯装置と、同点灯装置の前面に突出するようにして設けられ、前記制御基板とリード線により接続され、紫外線を放射するＵ字状の放電管とで紫外線照射装置を構成している。
【０００７】
また、前記収納ケースの前面に、前記放電管が挿通する挿通孔を備え、同放電管から放射された紫外線を遮蔽する遮蔽金具を被着してなる構成となっている。
【０００８】
また、前記放電管が、殺菌作用を有する波長が２５４ｎｍ（ナノメートル）の紫外線と、脱臭作用を行うオゾンを生成する波長が１８５ｎｍの紫外線とを放射できる構成となっている。
【０００９】
また、前記放電管の電極から導出されたピン端子と、前記制御基板から導出されたリード線とが筒状のカシメ端子に圧着され接続されてなる構成となっている。
【００１０】
更に、前記充填剤が、耐水性、耐湿性及び耐熱性を備えたウレタン系樹脂材からなる構成となっている。
【００１１】
【発明の実施の形態】
以下、本発明の実施の形態を、添付図面に基づいた実施例として詳細に説明する。
図１は本発明による紫外線照射装置によるＵＶユニットが本体内に装着された空気調和機を示す断面図であり、図２は同ＵＶユニットを示す斜視図である。図３は紫外線照射装置を示す斜視図であり、図４はその断面図である。また図５は紫外線照射装置が取付具に取付けられた状態を示す斜視図であり、図６はＵＶユニットのカバーに紫外線照射装置が装着された状態を示す斜視図である。
本発明による紫外線照射装置は、小型化された空気調和機本体内に容易に組付けできるようになっており、まず同紫外線照射装置を組込んだ空気調和機について説明する。図１で示す空気調和機は上下寸法に比較して前後寸法が大きく形成された本体を備え、同本体の上面後縁から前縁にかけて複数の桟による上面吸込口１を設け、円弧状に形成された下面中央に風向偏向板を備えた吹出口２を設けている。前記吸込口１と前記吹出口２とを結ぶ空気通路には、垂直部３ａと、同垂直部３ａの上端を折曲して後方に傾斜させた後方傾斜部３ｂと、上端を同後方傾斜部３ｂの上端と離間し前方に傾斜させた前方傾斜部３ｃとからなる熱交換器３と、送風ファン４とが設けられている。
【００１２】
前記後方傾斜部３ｂの上端と、前記前方傾斜部３ｃの上端との間に形成された離間部には、長尺状の断面逆台形状に形成されたケース６と、同ケース６内の一側に設置された紫外線照射装置７とからなるＵＶユニット５が設けられている。前記ケース６は上面が開放された方形状の下ケース６ｂと、同下ケース６ｂの開放された上面を覆う平板状に形成された上カバー６ａとからなり、前記紫外線照射装置７が設置された一側と対向する前記上カバー６ａの一側には、空気調和機本体の前記吸込口１から吸込まれた空気の一部を流入させる流入口６ｃが、連設された複数の桟により形成され、前記下ケース６ｂの前記紫外線照射装置７の前面側となる下面には、同様に連設された複数の桟により流出口６ｄが形成されており、前記流入口６ｃから前記ケース６内に流入した空気に対して前記紫外線照射装置７から照射される紫外線により脱臭作用と殺菌作用が行われ、これにより流入した空気は清浄化された空気となって前記流出口６ｂから空気調和機本体内の前記送風ファン４に向かい流出するようになっている。
【００１３】
前記紫外線照射装置７は、図３に示すように、点灯装置８と、前面に突出するように前記点灯装置８と一体となって設けられたＵ字状の放電管９とからなり、前記点灯装置８を構成する収納ケースの前面には前記放電管９が挿通する挿通孔を穿設し、同放電管９から照射された紫外線の影響が前記収納ケースに及ばないようにする遮蔽金具１３が被着され、また後面にはネジ挿通孔１４ａを備えた二股状の取付金具１４が取付けられている。前記点灯装置８内には高圧を発生する電子部品を搭載した制御基板１２が配設されており、同制御基板１２からリード線を介して前記放電管９の基部に設けられた電極に高電圧が印加されると同放電管９から紫外線が周囲に放射されるようになっている。前記点灯装置８と一体に前記放電管９を設けることにより、前記紫外線照射装置７は組付けが容易に行えるようになっている。
【００１４】
Ｕ字状に形成された前記放電管９内にはアルゴンガス及び水銀蒸気ガスが封入されており、前記点灯装置８内の制御基板１２から前記放電管１１の基部に設けられた電極に高電圧が印加されると、同電極から電子が放出され、これが水銀蒸気ガスに衝突してその作用により周囲に紫外線を放射するようになっており、同放電管１１は殺菌作用を有する波長が２５４ｎｍ（ナノメートル）の紫外線と、脱臭作用を行うオゾンを生成する波長が１８５ｎｍの紫外線との２波長の紫外線を放射できるようになっている。また、図４で示すように、前記電極部から導出されたピン端子９ａの材質としてタングステンが用いられ、前記制御基板１２から導出されたリード線１２ａの材質としてモリブデンが用いられているが、これらはハンダ付けによる接合では接合強度が不足するため、偏平筒状のカシメ端子１５に両者を挿通させた後、同カシメ端子１５を圧着して接合するようになっている。
【００１５】
前記点灯装置８は一側が開放された方形状の収納ケース１０と、同収納ケース内に配設され、前面側に前記リード線１２ａを導出するとともに、後面側に空気調和機の本体一側に設けられた電装品箱と接続される配線１２ｂを導出した制御基板１２と、同制御基板１２の周囲を包むように前記収納ケース１０内に充填される充填剤１１とからなっている。同充填剤１１は耐水性、耐湿性及び耐熱性に優れたウレタン系樹脂材からなり前記制御基板１２が前記収納ケース１０内に配設され、前記リード線１２ａが前記電極部のピン端子９ａとカシメ端子１５により接続され、また前記配線１２ｂが前記収納ケース１０の外部に導出された後、前記収納ケース１０内に流動状態で流し込まれその後固化して前記制御基板１２を包むようになっている。耐水性、耐湿性及び耐熱性を備えた前記充填剤１１で前記制御基板１２の周囲を覆うことにより、前記点灯装置８の近傍を湿度の高い空気が流動したとしても前記制御基板１２への湿度の影響を極力低減できる一方、また何らかの振動あるいは衝撃力が前記点灯装置８に加わったとしても、前記充填剤１１が緩衝材となり前記制御基板１２を保護するようになっている。また、前記放電管９は前記電極を内蔵した円盤状の基台部を前記収納ケース１０前面に螺着している。
【００１６】
前記紫外線照射装置７は、図５で示すように、ネジ挿通孔１６ｂを穿設した取付片１６ａを一側前端に突設させた平板状の取付具１６の下面に装着されるようになっており、遮蔽金具１３の一側に突設された係止片を前記取付具１６の係止孔に係止させ、前記取付金具１４のネジ挿通孔１４ａにネジ１７を挿通させ、前記取付具１６に螺合させることにより前記紫外線照射装置７は前記取付具１６の下面に懸架されるようになっている。この状態で、図６に示すように、前記ＵＶユニット５の前記上カバー６ａ下面一側にスライドにより固定されるようになっている。
【００１７】
次に、動作について説明する。図１で示す空気調和機の前記吸込口１から室内の空気が吸込まれると、吸込まれた空気は前記熱交換器３を通過し、通過する際熱交換されて前記送風ファン４により前記吹出口２から再び室内に送出されるようになっている。前記吸込口１から吸込まれた空気の一部は前記ＵＶユニット５の前記流入口６ａから前記箱体６内に吸込まれ、前記紫外線照射装置７から照射された紫外線により脱臭と殺菌とが行われた後、前記流出口６ｂから流出し前記送風ファン４により再び室内に送出されるようになっている。
【００１８】
上記したように、前記紫外線照射装置７の前記点灯装置８と前記放電管９とを一体に形成することにより、空気調和機等の本体内に容易に組付けることができ、また修理等の際にも、容易に交換作業を行うことができるようになっている。
【００１９】
【発明の効果】
以上説明したように本発明によると、点灯装置を、一側が開放された方形状の収納ケースと、同収納ケース内に配設され前記放電管の電極に高圧を印加する制御基板と、耐水性、耐湿性及び耐熱性を備え前記制御基板を包むように前記収納ケース内に充填される充填剤とで構成することにより湿度あるいは振動の影響を受けないようにして、同点灯装置と、紫外線を放射する放電管とをユニット化し、空気調和機等の本体内に容易に組付けできるようにした紫外線照射装置とすることができる。
【図面の簡単な説明】
【図１】本発明による紫外線照射装置が組込まれた空気調和機を示す断面図である。
【図２】紫外線照射装置を装着したＵＶユニットを示す斜視図である。
【図３】紫外線照射装置の斜視図である。
【図４】紫外線照射装置の側断面図及び正面断面図である。
【図５】紫外線照射装置が取付具に取付けられた状態を示す斜視図である。
【図６】紫外線照射装置が取付具とともに、上カバーに装着された状態を示す斜視図である。
【図７】従来の空気調和機を示す断面図である。
【符号の説明】
１　吸込口
２　吹出口
３　熱交換器
３ａ　垂直部
３ｂ　後方傾斜部
３ｃ　前方傾斜部
４　送風ファン
５　ＵＶユニット
６　ケース
６ａ　上カバー
６ｂ　下ケース
６ｃ　流入口
６ｄ　流出口
７　紫外線照射装置
８　点灯装置
９　放電管
９ａ　ピン端子
１０　収納ケース
１１　充填剤
１２　基板
１２ａ　リード線
１２ｂ　配線
１３　遮蔽金具
１４　取付金具
１４ａ　ネジ挿通孔
１５　カシメ端子
１６　取付具
１６ａ　取付片
１６ｂ　ネジ挿通孔
１７　ネジ
【図１】
2004084968.tif 000003
【図２】
2004084968.tif 000004
【図３】
2004084968.tif 000005
【図４】
2004084968.tif 000006
【図５】
2004084968.tif 000007
【図６】
2004084968.tif 000008
【図７】
2004084968.tif 000009